(57)【要約】      （修正有）【課題】手持の掛け布団敷ふとんを用い、付属装置を付加することにより、エアーコントロール化されたふとんとする。【解決手段】表布５と裏布５′の二枚で送風入口Ｘ送風出口Ｙを作る。表布８の送風入口Ｘに面ファスナー（オス）６、（メス）７を縫合し、エアーコントロール暖房機からの送風口を固定できるようにする。送風入口Ｘの両側にふとん固定用クリップ３を取り付け、表布５と裏布５′でふとんを包みクリップ３で固定する。【選択図】図３
2008173434.tif 000002
【特許請求の範囲】
【請求項１】
掛ふとんの寝床内を熟睡環境にするエアーコントロールふとんに関する発明で、掛ふとん内に通風路を設けて、通風路に送風して寝床内をコントロールする商品は周知のとおりである。
本発明は掛用送風口取付口表布５、と掛用送風口取付口裏布５′、の二枚を合せて、送風入口Ｘ、と送風出口Ｙ、を作り、掛用送風口取付口表布５にマジックテープ（オス）６、マジックテープ（メス）７を縫合し、ふとん用送風口１の送風口溝２にはめ込み結束する。送風入口Ｘの両側に  クリップ本体３を取付たことを特徴とするエアコントロールふとんの掛ふとん用、万能送風口
【請求項２】
敷ふとん内に通風路を内蔵させて、通風路内に送風して汗を排出するエアーコントロール敷ふとんは周知のとおりである。
本発明は敷ふとん内に通風路を持たず、手持の敷ふとんを利用して、簡易に敷ふとんをエアーコントロール化するもので敷用送風口取付口表布８、と敷用送風口取付口裏布８′の二枚で、敷用送風入口ｘ、敷用送風出口ｙを作る、敷用送風口取付口表布８の敷用送風入口ｘに  マジックテープ（オス）６、マジックテープ（メス）７を縫合し、ふとん用送風口１  を結束する。敷用は足で送付口が閉鎖される為、又寝返りでも閉鎖される為、横に巾の広い敷用送風出口ｙを必要とする。図５の様にクリップ本体３も４ヶ以上にする必要がある。
本発明は簡易に手持敷ふとんをエアーコントロール化出来る  特徴とした敷ふとん用送風口の発明である。
【請求項３】
請求項２で記した敷用送風出口ｙよりの送風が寝たきりの病人では寝床内が人生そのもので、送風が寸時も停止はゆるされない。汗は１日３００ｃｃ〜５００ｃｃ発汗する。動けない人の背中は常に床ずれの発生環境である。
本発明は手持の敷ふとん類を利用して床ずれ防止と、熟睡による体力回復、免疫力増復の環境を提供する発明である。
図５の敷用送風口取付口表布８を裏返へしにして図７の様にし、荒目除湿ネット９を下にし、細目除湿ネット１０を上にして、クリップ本体３を４ヶ使用して一体化する。
荒目除湿ネット９、細目除湿ネット１０は図１１、図１２の図解の様にセットすると、足で敷用送風口ｙを閉鎖することが無い
本発明は手持敷ふとんを利用して全ての人に簡易にエアーコントロール敷ふとんを、提供する発明が特徴である。
【発明の詳細な説明】
【技術分野】健康福祉用寝具
【背景技術】エアーコントロールふとん
【発明の開示】
発明の名稱
エアーコントロール羽毛ふとん      特許  第２６１６８９３
エアーコントロールふとん          特許  第２６３０７３３
エアーコントロール敷ふとんカバー  特許  第３０６１３６０
寝床エアーコントロール装置        特許  第３１８６６３２
【発明が解決しようとする課題】
【０００１】発明の開示に示した様に今日までの発明は  手持の寝具が利用出来ないので新規に寝具を購入する必要が有りました。
本発明はエアーコントロール用暖房機のみ購入し一部部品は手造りで出来る小物を購入
2008173434.tif 000003
【課題を解決する為の手段】
【０００２】図２に示す市販品の大クリップ数個、掛用送風口取付口表布５、掛用送風口取付口裏布５′いづれも厚目の綿布がよい。
敷用送風口取付口表布８、敷用送風口取付口裏布８′  いづれも厚目の綿布がよい
健康な人はこれを使用して手造りが出来ます。
図１のふとん用送風口１は暖房機の附属品で  エアーコントロール用暖房機１６は購入品で絶対必要品です。
寝たきりの方は図１１、図１２に示す様に除湿ネットの購入が必要です。
これらの部品を購入して手持の寝具がエアーコントロールふとんに出来ます。
図８〜図１５  は実施例で示す様に手持の掛、敷ふとんをエアーコントロール化した図です。
【発明の効果】
【０００３】手持寝具が全て利用出来て、理想的熟睡が得られる、費用は正規エアーコントロールふ
2008173434.tif 000004
ーラの電気代は夜は寝具内を１時間４円の電気代ですみ、全てに効果絶大です。
熟睡環境は四季を通じて寝床内温度３２℃±１  湿度４０％±５が熟睡学会の定説です。
この環境が得られる効果絶大な発明である。
【発明を実施する為の最良の型態】
【０００４】図８で示す図は掛用羽毛ふとん１１の足部に図５の部品にクリップ本体３を４ヶ使用して取付ける。開放カバー下面布１３に掛用羽毛ふとん１１を乘せ、開放カバー上面布１４をかぶせて、オープンファスナー金具１５で、掛用羽毛ふとん１１を包む。
図１０は暖房機とセットされた図で送風されている図である。
このセットが最良の掛用の型態ですが図３の掛用送風口取付口５、５′を使用してもよい
【０００５】図５の敷用送風口取付口８、８′に図７の様に荒目除湿ネット９、細目除湿ネット１０を、クリップ本体３を４ヶ使用してセットする。このセットと、ベットパット２０をさらに、クリップ本体３を開いてはさむと最良の組合せになりますが、ベットパット２０をはさまなくても除湿ネットは動きません。又ベットパット２０が無くても動きません。
図１２は上からベット用カバー２１掛けた図でこのセットが最良の型態です。
【実施例】図８で示す様に掛用羽毛ふとん１１の足部裏面に、掛用送風口取付口表布５を合せて、クリップ本体３で取付けるか、又は敷用送風口取付口表布８（図４）を使用してクリップ本体４ヶを使用して使用するかは寝返りを考へ使いわけをする。送風入口Ｘにふとん用送風口１を入れて、マジックテープ（オス）６をマジックテープ（メス）７で結束し、開放カバー上面布１４の、オープンファスナー金具１５で包み  図１０の様に暖房送風機１６とセットして、温風を流し理想の睡眠環境を作り熟睡出来るのです。
この特徴は温風が、開放カバ下面布１３の１枚の布を貫ぬいて寝床内に流れる為、熟睡効果は最良である。
図１３、図１４は一般使用の開口カバー２３、と全面カバ２４に掛用送風口取付口表布５をセットした実施例です。図１５は暖房送風機１６とセットした実施例です。【０００６】敷用の実施例は図１１、図１２で示す様に  図７の敷用送風口取付口裏布８′と荒目除湿ネット９、細目除湿ネット１０を  クリップ本体３を４ヶ使用して一体化したもので、このセットを  図１１  図１２で示す様にベットパット２０の上に置いてその上からベット用カバー２１を掛けた図で、ベット下の暖房送風機１６より送風ジャバラ２２より温送が流れる様子を示した図です。掛用セットと敷用セットは共に温風は掛ふとんの閉放カバー１３、と敷ふとんのベット用カバー２１の一枚の布を貫通して寝床内に流れる為、風の流れは最良であり風速も低速で音も静かな深い熟睡が得られる実施例です。両者を使用すれば最高です
【図面の簡単な説明】
【０００７】
【図１】ふとん用送風口１側面図
【図２】クリップ側面図
【図３】掛用送風口取付口の平面図
【図４】敷用送風口取付口の平面図
【図５】敷用送風口取付口にふとん送風口１とクリップ４ヶを取付けた平面図
【図６】図５の側面図
【図７】図６のセットに荒目除湿ネット９と細目除湿ネット１０をセットした側面図
【図８】掛用羽毛ふと１１に敷用送風口取付口をセットし開放カバにセットする平面図
【図９】図８の側面図
【図１０】掛用ふと１１と開放カバーがセットされ暖房送風機で送風した側面図
【図１１】敷用送風口取付口に、荒目、細目除湿ネットをセットしベットの上に置き、ベット用カバー２１で包んだ平面図
【図１２】図１１の側面図でベット下の暖房送風機１６をセットして送風している図
【図１３】開口カバーの平面図
【図１４】全面カバー２４の平面図
【図１５】図１４の全面カバ２４に図３の掛用送風口取付口５をセットし、そのカバの中に、掛用羽毛ふとん１１を包みこみ、暖房送風機１６で送風した側面図
【符号の説明】
【０００８】  １  ふとん用送風口  ２  送風口溝  ３  クリップ本体  ４  クリップうで  ５  掛用送風口取付口表布。  ５′  掛用送風口取付口裏布  ６  マジックテープ（オス）  ７  マジックテープ（メス）  ８  敷用送風口取付口表布  ８′  敷用送風口取付口裏布  ９  荒目除湿ネット  １０  細目除湿ネット  １１  掛用羽毛ふとん  １２  オープンファスナー  １３  開放カバー下面布  １４  開放カバー上面布  １５  オープンファスナー金具。  １６  暖房送風機  １７  敷ふとん  １８  ベット  １９  マットレス  ２０  ベットパット  ２１  ベット用カバー  ２２  送風ジャバラ  ２３  開口カバー  ２４  全面カバー  ２５  掛用送風ジャバラ  Ｘ  送風入口  Ｙ  送風出口  ｘ  敷用送風入口  ｙ  敷用送風出口
【図１】
2008173434.tif 000005
【図２】
2008173434.tif 000006
【図３】
2008173434.tif 000007
【図４】
2008173434.tif 000008
【図５】
2008173434.tif 000009
【図６】
2008173434.tif 000010
【図７】
2008173434.tif 000011
【図８】
2008173434.tif 000012
【図９】
2008173434.tif 000013
【図１０】
2008173434.tif 000014
【図１１】
2008173434.tif 000015
【図１２】
2008173434.tif 000016
【図１３】
2008173434.tif 000017
【図１４】
2008173434.tif 000018
【図１５】
2008173434.tif 000019